(57)【要約】      （修正有）【課題】端末装置が接続する基地局装置を分散させることができる端末装置、端末装置の通信方法、プログラム、無線通信システム、および通信方法を提供する。【解決手段】端末装置１００は、基地局装置２００、および自装置とは他の端末装置と通信する通信部１１０と、他の端末装置が選択している基地局装置を特定する情報に基づいて、自装置が接続する基地局装置を選択する選択部１２２と、を備える。選択部は、他の端末装置が選択していない基地局装置を、自装置が接続する基地局装置として選択してよい。【選択図】図２
2020043514.tif 000002
【特許請求の範囲】
【請求項１】
基地局装置、および自装置とは他の端末装置と通信する通信部と、
前記他の端末装置が選択している前記基地局装置を特定する情報に基づいて、自装置が接続する基地局装置を選択する選択部と、
を備える、端末装置。
【請求項２】
前記選択部は、前記他の端末装置が選択していない基地局装置を、自装置が接続する基地局装置として選択する、
請求項１に記載の端末装置。
【請求項３】
複数の基地局装置のそれぞれについて通信品質を測定する測定部を更に備え、
前記選択部は、前記他の端末装置が選択している前記基地局装置を特定する情報および前記測定部により測定された前記基地局装置のそれぞれについての通信品質に基づいて、自装置が接続する基地局装置を選択する
請求項１または２に記載の端末装置。
【請求項４】
前記選択部により選択された前記基地局装置に接続する、
請求項１から３のうち何れか１項に記載の端末装置。
【請求項５】
前記選択部により選択された前記基地局装置で待ち受け、通信要求が発生した場合に、待ち受けている前記基地局装置に接続する、
請求項１から３のうち何れか１項に記載の端末装置。
【請求項６】
前記通信部は、前記他の端末装置のうち予めグループ化された端末装置から、前記他の端末装置が選択している前記基地局装置を特定する情報を取得する、
請求項１から５のうち何れか１項に記載の端末装置。
【請求項７】
前記選択部は、前記基地局装置のタイプに基づいて、自装置が接続する前記基地局装置を選択する、
請求項１から６のうち何れか１項に記載の端末装置。
【請求項８】
自装置とは他の端末装置から、前記他の端末装置が選択している前記基地局装置を特定する情報を取得し、
前記他の端末装置が選択している前記基地局装置を特定する情報に基づいて、自装置が接続する前記基地局装置を選択する、
端末装置の通信方法。
【請求項９】
端末装置のコンピュータに、
自装置とは他の端末装置から、前記他の端末装置が選択している前記基地局装置を特定する情報を取得させ、
前記他の端末装置が選択している前記基地局装置を特定する情報に基づいて、自装置が接続する前記基地局装置を選択させる、
プログラム。
【請求項１０】
複数の基地局装置と、複数の端末装置とを備える無線通信システムであって、
前記複数の端末装置のうちの第１の端末装置は、自身が選択している前記基地局装置を特定する情報を、前記複数の端末装置のうちの第２の端末装置に送信し、
前記第２の端末装置は、
前記複数の基地局装置、および前記第１の端末装置と通信する通信部と、
前記第１の端末装置が選択している前記基地局装置を特定する情報に基づいて、自装置が接続する前記基地局装置を選択する選択部と、を備える、
無線通信システム。
【請求項１１】
第１の端末装置が、自身が選択している基地局装置を特定する情報を、第２の端末装置に送信し、
前記第２の端末装置が、自装置とは他の端末装置から、前記他の端末装置が選択している前記基地局装置を特定する情報を取得し、
前記他の端末装置が選択している前記基地局装置を特定する情報に基づいて、自装置が接続する前記基地局装置を選択する、
通信方法。
【発明の詳細な説明】
【技術分野】
【０００１】
本発明の一態様は、端末装置、端末装置の通信方法、プログラム、無線通信システム、および通信方法に関する。
【背景技術】
【０００２】
端末装置は、通信を開始する場合に、周辺の基地局装置のうち最も通信品質が良好な基地局装置を選択して通信接続することがある。例えば、下記の特許文献１に記載された端末装置は、周囲の各基地局装置の無線状況を観測し、無線状況が良好な基地局が上位になるように接続候補基地局リストを作成し、リスト内の優先順位が高い基地局を優先的に選択し、接続を行う。
【先行技術文献】
【特許文献】
【０００３】
【特許文献１】特開２０１２−０７０１４５号公報
【発明の概要】
【発明が解決しようとする課題】
【０００４】
しかしながら、複数の端末装置が無線品質の高い基地局装置に集中して接続した場合、当該基地局装置の通信負荷が急速に高まる場合があり、この結果、当該基地局装置に接続されている全ての端末装置の通信速度が急激に低下する可能性がある。
【０００５】
本発明は、上記の課題に基づいてなされたものであり、端末装置が接続する基地局装置を分散させることができる端末装置、端末装置の通信方法、プログラム、無線通信システム、および通信方法を提供することを目的としている。
【課題を解決するための手段】
【０００６】
上記の課題を解決するため、本発明の一態様の端末装置は、基地局装置、および自装置とは他の端末装置と通信する通信部と、前記他の端末装置が選択している前記基地局装置を特定する情報に基づいて、自装置が接続する基地局装置を選択する選択部と、を備える。
【０００７】
本発明の一態様は、上記の端末装置において、前記選択部は、前記他の端末装置が選択していない基地局装置を、自装置が接続する基地局装置として選択してよい。
【０００８】
本発明の一態様は、上記の端末装置において、複数の基地局装置のそれぞれについて通信品質を測定する測定部を更に備え、前記選択部は、前記他の端末装置が選択している前記基地局装置を特定する情報および前記測定部により測定された前記基地局装置のそれぞれについての通信品質に基づいて、自装置が接続する基地局装置を選択してよい。
【０００９】
本発明の一態様は、上記の端末装置において、前記選択部により選択された前記基地局装置に接続してよい。
【００１０】
本発明の一態様は、上記の端末装置において、前記選択部により選択された前記基地局装置で待ち受け、通信要求が発生した場合に、待ち受けている前記基地局装置に接続してよい。
【００１１】
本発明の一態様は、上記の端末装置において、前記通信部は、前記他の端末装置のうち予めグループ化された端末装置から、前記他の端末装置が選択している前記基地局装置を特定する情報を取得してよい。
【００１２】
本発明の一態様は、上記の端末装置において、前記選択部は、前記基地局装置のタイプに基づいて、自装置が接続する前記基地局装置を選択してよい。
【００１３】
上記の課題を解決するため、本発明の一態様の端末装置の通信方法は、上記の端末装置において、自装置とは他の端末装置から、前記他の端末装置が選択している前記基地局装置を特定する情報を取得し、前記他の端末装置が選択している前記基地局装置を特定する情報に基づいて、自装置が接続する前記基地局装置を選択する。
【００１４】
上記の課題を解決するため、本発明の一態様のプログラムは、端末装置のコンピュータに、自装置とは他の端末装置から、前記他の端末装置が選択している前記基地局装置を特定する情報を取得させ、前記他の端末装置が選択している前記基地局装置を特定する情報に基づいて、自装置が接続する前記基地局装置を選択させる。
【００１５】
上記の課題を解決するため、本発明の一態様の無線通信システムは、複数の基地局装置と、複数の端末装置とを備える無線通信システムであって、前記複数の端末装置のうちの第１の端末装置は、自身が選択している前記基地局装置を特定する情報を、前記複数の端末装置のうちの第２の端末装置に送信し、前記第２の端末装置は、前記複数の基地局装置、および前記第１の端末装置と通信する通信部と、前記第１の端末装置が選択している前記基地局装置を特定する情報に基づいて、自装置が接続する前記基地局装置を選択する選択部と、を備える。
【００１６】
上記の課題を解決するため、本発明の一態様の通信方法は、第１の端末装置が、自身が選択している基地局装置を特定する情報を、第２の端末装置に送信し、前記第２の端末装置が、自装置とは他の端末装置から、前記他の端末装置が選択している前記基地局装置を特定する情報を取得し、前記他の端末装置が選択している前記基地局装置を特定する情報に基づいて、自装置が接続する前記基地局装置を選択する。
【発明の効果】
【００１７】
本発明の一態様によれば、端末装置が接続する基地局装置を分散させることができる。
【図面の簡単な説明】
【００１８】
【図１】第１の実施形態の無線通信システムの一例を示す概念図である。
【図２】無線端末装置の一例を示すブロック図である。
【図３】無線端末装置が他の端末装置を検出する検出可能範囲を示す概略図である。
【図４】無線端末装置が基地局装置に接続する処理の流れの一例を示すフローチャートである。
【図５】無線端末装置が基地局装置に接続する処理の流れの変形例を示すフローチャートである。
【図６】無線端末装置が基地局装置を選択して接続する一例を示す図である。
【図７】無線端末装置が基地局装置を選択して接続する一例を示す図である。
【図８】無線端末装置が基地局装置を選択して接続する一例を示す図である。
【図９】無線端末装置が基地局装置を選択して接続する一例を示す図である。
【図１０】無線端末装置が接続する基地局装置を切り替える動作の一例を示すフローチャートである。
【図１１】無線端末装置が基地局装置を切り替える動作を示す概略図である。
【図１２】第１の実施形態における第１の変形例の無線端末装置を示すブロック図である。
【図１３】第１の変形例における無線端末装置により基地局装置を選択する処理の一例を示すフローチャートである。
【図１４】第２の変形例における動作の一例を説明するための概略図である。
【図１５】第２の変形例を説明するための概略図である。
【図１６】比較例を示す概略図である。
【図１７】第２の変形例を示す概略図である。
【図１８】第２の実施形態において基地局装置を選択する処理の一例を示すフローである。
【図１９】第２の実施形態において基地局装置を選択する他の処理の一例を示すフローである。
【図２０】第２の実施形態における無線端末装置の動作の一例を説明するための図である。
【図２１】第３の実施形態における無線通信システムの一例を示す概略図である。
【図２２】第３の実施形態における無線端末装置の動作の一例を示すフローチャートである。
【発明を実施するための形態】
【００１９】
以下、本発明を適用した端末装置、端末装置の通信方法、プログラム、無線通信システム、および通信方法を、図面を参照して説明する。
【００２０】
（第１の実施形態）
図１は、第１の実施形態の無線通信システム１の一例を示す概念図である。無線通信システム１は、例えば、複数の無線端末装置１００Ａ、１００Ｂ、・・・と、複数の基地局装置２００Ａ、２００Ｂ、２００Ｃ・・・と、を備える。なお、以下の説明において、端末装置を総称する場合には単に「無線端末装置１００」と記載し、基地局装置を総称する場合には単に「基地局装置２００」と記載する。
【００２１】
基地局装置２００は、自装置のカバレッジ内の無線端末装置１００と無線で通信可能に接続し、無線端末装置１００との間で各種の情報やデータを送受信する。カバレッジとは、基地局装置２００からの電波が所定の受信電力以上の電力をもって到達する範囲を指す。カバレッジは、カバーエリアとも呼ばれる。
【００２２】
図２は、端末装置の一例を示すブロック図である。無線端末装置１００は、例えば、通信部１１０と、制御部１２０と、記憶部１３０とを備える。通信部１１０は、例えば、ＮＩＣ（Ｎｅｔｗｏｒｋ  Ｉｎｔｅｒｆａｃｅ  Ｃａｒｄ）や無線通信モジュールなどの通信インターフェースである。通信部１１０は、第５世代移動通信方式（５Ｇ：５ｔｈ  ｇｅｎｅｒａｔｉｏｎ  ｍｏｂｉｌｅ  ｎｅｔｗｏｒｋｓ）の規格、第４世代移動通信方式（４Ｇ：４ｔｈ  ｇｅｎｅｒａｔｉｏｎ  ｍｏｂｉｌｅ  ｎｅｔｗｏｒｋｓ、または４Ｇ＋）の規格、Ｄ２Ｄ通信、Ｗｉｆｉ（登録商標）、ｂｌｕｅｔｏｏｔｈ（登録商標）などの、無線通信網に接続するための規格に準拠した処理を実行する。
【００２３】
通信部１１０は、例えば、第１通信部１１２と、第２通信部１１４とを備える。第１通信部１１２は、例えば、５Ｇや４Ｇに準拠した処理を行う。これにより、第１通信部１１２は、基地局装置２００との間で無線通信を行う。第１通信部１１２は、例えば、測定部１１２ａを備える。測定部１１２ａは、第１通信部１１２が受信した信号に基づいて基地局装置２００の通信品質を測定する。第２通信部１１４は、例えば、Ｄ２Ｄ（device to device）通信（端末間通信、直接通信）、Ｗｉｆｉ（登録商標）、ｂｌｕｅｔｏｏｔｈ（登録商標）に準拠した処理を行う。これにより、第２通信部１１４は、無線端末装置１００との間で無線通信を行う。
【００２４】
制御部１２０は、例えば、基地局選択部１２２と、基地局情報取得部１２４とを備える。基地局選択部１２２および基地局情報取得部１２４は、例えば１つ、または複数のＣＰＵ（Ｃｅｎｔｒａｌ  Ｐｒｏｃｅｓｓｉｎｇ  Ｕｎｉｔ）等のプロセッサがプログラムメモリに格納されたプログラムを実行することにより実現される。また、基地局選択部１２２および基地局情報取得部１２４の機能部のうち一部または全部は、ＬＳＩ（Ｌａｒｇｅ  Ｓｃａｌｅ  Ｉｎｔｅｇｒａｔｉｏｎ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、またはＦＰＧＡ（Ｆｉｅｌｄ  Ｐｒｏｇｒａｍｍａｂｌｅ  Ｇａｔｅ  Ａｒｒａｙ）等のハードウェアにより実現されてもよいし、ソフトウェアとハードウェアが協働することで実現されてもよい。
【００２５】
基地局選択部１２２は、測定部１１２ａにより測定された通信品質、および記憶部１３０に記憶された基地局情報に基づいて、無線端末装置１００が接続する基地局装置２００を選択する。基地局情報取得部１２４は、第２通信部１１４により取得した基地局情報を、記憶部１３０に記憶する。基地局情報とは、無線端末装置１００が選択している基地局装置２００を特定する情報である。基地局情報は、例えば、基地局装置２００を一意に特定する基地局ＩＤや、基地局装置２００が提供するセルを一意に特定するセルＩＤである。基地局情報は、無線端末装置１００が基地局装置２００を選択していない場合、「接続なし」に相当する情報である。
【００２６】
記憶部１３０は、ＨＤＤ（Ｈａｒｄ  Ｄｉｓｋ  Ｄｒｉｖｅ）、フラッシュメモリ、ＥＥＰＲＯＭ（Ｅｌｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＲＯＭ（Ｒｅａｄ  Ｏｎｌｙ  Ｍｅｍｏｒｙ）、またはＲＡＭ（Ｒａｎｄｏｍ  Ａｃｃｅｓｓ  Ｍｅｍｏｒｙ）、或いはこれらを複数用いたハイブリッド型記憶装置により実現される。記憶部１３０には、無線端末装置１００により実行されるファームウェアやアプリケーションプログラム等の各種プログラム、無線端末装置１００における各種の処理結果などが記憶される。なお、記憶部１３０の一部または全部は、無線端末装置１００が各種ネットワークを介してアクセス可能な外部記憶装置によって実現されてもよい。外部記憶装置の一例として、ＮＡＳ（Ｎｅｔｗｏｒｋ  Ａｔｔａｃｈｅｄ  Ｓｔｏｒａｇｅ）装置が挙げられる。記憶部１３０には、基地局情報取得部１２４により基地局情報が記憶される。記憶部１３０に記憶された基地局情報は、基地局選択部１２２により読み出される。
【００２７】
図３は、無線端末装置１００Ａが他の無線端末装置１００を検出する検出可能範囲１００ａを示す概略図である。検出可能範囲１００ａは、第２通信部１１４がサポートする規格に準拠した処理を実行することにより他の無線端末装置１００を検出することができる範囲である。検出可能範囲１００ａは、例えば、家庭内のＷｉｆｉアクセスポイントが通信可能な範囲や、ｂｌｕｅｔｏｏｔｈ通信電波が到達可能な範囲に相当する。すなわち、検出可能範囲１００ａは、無線端末装置１００が他の無線端末装置１００と通信することができる範囲に相当する。
【００２８】
無線端末装置１００Ａは、検出可能範囲１００ａ内に存在する無線端末装置１００Ｂ、１００Ｃ、および１００Ｅから基地局情報を取得する。無線端末装置１００Ａは、検出可能範囲１００ａ外の無線端末装置１００Ｄから基地局情報を取得できない。
【００２９】
また、無線端末装置１００は、予め設定されたグループに基づいて周囲の無線端末装置１００を検出してよい。例えば、無線端末装置１００Ａ、無線端末装置１００Ｂ、および無線端末装置１００Ｃに同じグループＩＤが割り当てられており、無線端末装置１００Ｅには、グループＩＤが無いか、他のグループＩＤが割り当てられているものとする。この場合、無線端末装置１００Ａは、無線端末装置１００Ｂ、無線端末装置１００Ｃ、および無線端末装置１００ＥからグループＩＤを取得する。無線端末装置１００Ａは、自身のグループＩＤと、無線端末装置１００Ｂおよび無線端末装置１００ＣのグループＩＤとが同一であり、同じグループに属することを判定する。無線端末装置１００Ａは、無線端末装置１００Ｅが、自身のグループには属さないことを判定する。これにより、無線端末装置１００Ａは、無線端末装置１００Ｂおよび１００Ｃから基地局情報を取得し、無線端末装置１００Ｅから基地局情報を取得しない。
【００３０】
なお、グループ化される複数の無線端末装置１００は、例えば、家庭内で所有しているＣＰＥ（バックホールは無線（例えば５Ｇ、４Ｇ、ＬＴＥ等）)、モバイルルーター、スマホ等であってよい。
【００３１】
図４は、端末装置が基地局装置に接続する処理の流れの一例を示すフローチャートである。
無線端末装置１００は、自装置の電源がオンに遷移したことに応じて（ステップＳ１００）、セルサーチを行う（ステップＳ１０２）。セルサーチは、例えば、受信信号のレベルが所定の閾値よりも大きい基地局装置２００を、無線端末装置１００が接続可能な基地局装置２００として選定する処理である。なお、以下の説明において、セルサーチにより選定された基地局装置２００を、「選定基地局」や「選定基地局装置」と記載することもある。
【００３２】
次に無線端末装置１００は、自装置の周囲の無線端末装置１００から基地局情報を取得する（ステップＳ１０４）。次に無線端末装置１００は、自装置の周囲に無線端末装置１００が存在しないか否かを判定する（ステップＳ１０６）。無線端末装置１００は、ステップＳ１０４において基地局情報を取得する処理を実行したものの、基地局情報が取得できなかった場合、自装置の周囲に無線端末装置１００が存在しないと判定する。無線端末装置１００は、自装置の周囲に無線端末装置１００が存在しない場合（ステップＳ１０６：ＹＥＳ）、ステップＳ１１６に処理を進める。
【００３３】
無線端末装置１００は、自装置の周囲に無線端末装置１００が存在する場合（ステップＳ１０６：ＮＯ）、他の無線端末装置１００が接続中の基地局装置２００が存在するか否かを判定する（ステップＳ１０８）。無線端末装置１００は、他の無線端末装置１００から取得した基地局情報に、当該他の無線端末装置１００が接続済みの基地局装置２００の基地局ＩＤやセルＩＤが含まれる場合、他の無線端末装置１００が接続中の基地局装置２００が存在すると判定する。無線端末装置１００は、他の無線端末装置１００が接続中の基地局装置２００が存在しない場合、ステップＳ１１６に処理を進め、他の無線端末装置１００が接続中の基地局装置２００が存在する場合、ステップＳ１１０に処理を進める。
【００３４】
無線端末装置１００は、ステップＳ１１０において、他の無線端末装置１００が接続中の基地局装置２００以外の選定基地局装置が存在するか否かを判定する。無線端末装置１００は、他の無線端末装置１００が接続中の基地局装置２００以外の選定基地局装置が存在する場合（ステップＳ１１０：ＹＥＳ）、ステップＳ１１４に処理を進める。無線端末装置１００は、他の無線端末装置１００が接続中の基地局装置２００以外の選定基地局装置が存在しない場合（ステップＳ１１０：ＮＯ）、ステップＳ１１２に処理を進める。
【００３５】
無線端末装置１００は、ステップＳ１１２において、無線端末装置１００の接続数が最も少ない選定基地局装置に接続する。無線端末装置１００は、ステップＳ１１４において、他の無線端末装置１００が接続している基地局装置２００以外の選定基地局装置に接続する。無線端末装置１００は、ステップＳ１１６において、選定基地局装置に接続する。これにより、無線端末装置１００は、他の無線端末装置１００が選択していない基地局装置２００を、自装置が接続する基地局装置２００として選択する。なお、ステップＳ１１２、ステップＳ１１４、ステップＳ１１６において、無線端末装置１００は、選定基地局装置が複数存在する場合、いずれかの選定基地局装置に接続すればよい。
【００３６】
なお、無線端末装置１００は、ステップＳ１００において電源がオンに遷移した場合に、ステップＳ１０２以降の処理を行ったが、これに限定されない。無線端末装置１００は、待ち受け状態中に通信要求が発生した場合に、ステップＳ１０２以降の処理を実行してよい。通信要求は、例えば、自無線端末による通信要求や、他の無線端末装置１００からの通信要求であるページング受信である。
【００３７】
また、無線端末装置１００は、電源がオンに遷移した場合や通信要求が発生した場合に、周囲の無線端末装置１００から基地局情報を取得したが、これに限定されず、無線端末装置１００から検出可能範囲１００ａ内に他の無線端末装置１００を検出したことに応じ、当該他の無線端末装置１００から基地局情報を取得し、ステップＳ１０６以降の処理を実行してよい。
【００３８】
図５は、端末装置が基地局装置に接続する処理の流れの変形例を示すフローチャートである。上述した図４を参照した無線端末装置１００の処理において、無線端末装置１００は、選定基地局装置が複数存在する場合、通信品質に基づいて、選定基地局装置を選択してよい。無線端末装置１００は、ステップＳ１１２＃において、無線端末装置１００の接続数が最も少ない選定基地局装置のうち通信品質が最良の基地局装置２００に接続する。無線端末装置１００は、ステップＳ１１４＃において、他の無線端末装置１００が接続している基地局装置２００以外の選定基地局装置のうち通信品質が最良の基地局装置２００に接続する。無線端末装置１００は、ステップＳ１１６＃において、選定基地局装置のうち通信品質が最良の基地局装置２００に接続する。
【００３９】
図６〜図９は、無線端末装置１００が基地局装置２００を選択して接続する一例を示す図である。
まず、図６を参照して説明する。無線端末装置１００Ａがセルサーチを行った結果、基地局装置２００Ａの通信品質Ａが、基地局装置２００Ｂの通信品質Ｂよりも良好であるものとする。なお、無線端末装置１００Ａは、基地局装置２００Ｃを検出できなかったものとする。また、無線端末装置１００Ａの周囲に他の無線端末装置１００が存在しないものとする。この場合、無線端末装置１００Ａは、基地局装置２００Ａに接続する。この動作は、上述したステップＳ１１６の処理を実行することにより実現することができる。
【００４０】
つぎに、図７を参照して説明する。無線端末装置１００Ａがセルサーチを行った結果、基地局装置２００Ａの通信品質Ａが、基地局装置２００Ｂの通信品質Ｂよりも良好であるものとする。なお、無線端末装置１００Ａは、基地局装置２００Ｃを検出できなかったものとする。また、無線端末装置１００Ａの周囲には、無線端末装置１００Ｂおよび無線端末装置１００Ｃが存在するものとする。無線端末装置１００Ａは、無線端末装置１００Ｂから基地局情報Ｄｂおよび無線端末装置１００Ｃから基地局情報Ｄｃを取得する。基地局情報Ｄｂは、無線端末装置１００Ｂが基地局装置２００Ａに接続していないことを示しているものとする。基地局情報Ｄｃは、無線端末装置１００Ｃが基地局装置２００Ｂに接続していないことを示しているものとする。この場合、無線端末装置１００Ａは、基地局装置２００Ａに接続する。この動作は、上述したステップＳ１１６の処理を実行することにより実現することができる。
【００４１】
つぎに、図８を参照して説明する。無線端末装置１００Ａがセルサーチを行った結果、基地局装置２００Ａの通信品質Ａが、基地局装置２００Ｂの通信品質Ｂよりも良好であるものとする。なお、無線端末装置１００Ａは、基地局装置２００Ｃを検出できなかったものとする。また、無線端末装置１００Ａの周囲には、無線端末装置１００Ｂおよび無線端末装置１００Ｃが存在するものとする。無線端末装置１００Ａは、無線端末装置１００Ｂから基地局情報Ｄｂおよび無線端末装置１００Ｃから基地局情報Ｄｃを取得する。基地局情報Ｄｂは、無線端末装置１００Ｂが基地局装置２００Ａに接続していることを示しているものとする。基地局情報Ｄｃは、無線端末装置１００Ｃが基地局装置２００Ｂに接続していないことを示しているものとする。この場合、無線端末装置１００Ａは、基地局装置２００Ｂに接続する。この動作は、上述したステップＳ１１４の処理を実行することにより実現することができる。
【００４２】
つぎに、図９を参照して説明する。無線端末装置１００Ａがセルサーチを行った結果、基地局装置２００Ａの通信品質Ａが、基地局装置２００Ｂの通信品質Ｂよりも良好であるものとする。なお、無線端末装置１００Ａは、基地局装置２００Ｃを検出できなかったものとする。また、無線端末装置１００Ａの周囲には、無線端末装置１００Ｂおよび無線端末装置１００Ｃが存在するものとする。無線端末装置１００Ａは、無線端末装置１００Ｂから基地局情報Ｄｂおよび無線端末装置１００Ｃから基地局情報Ｄｃを取得する。基地局情報Ｄｂは、無線端末装置１００Ｂが基地局装置２００Ａに接続していることを示しているものとする。基地局情報Ｄｃは、無線端末装置１００Ｃが基地局装置２００Ｂに接続していることを示しているものとする。この場合、無線端末装置１００Ａは、基地局装置２００Ａに接続する。この動作は、上述したステップＳ１１２の処理を実行することにより実現することができる。
【００４３】
以上のように、第１の実施形態によれば、他の無線端末装置１００から取得した基地局情報に基づいて、無線端末装置１００が接続する基地局装置２００を選択することができる。これにより、第１の実施形態によれば、複数の無線端末装置１００が接続する基地局装置２００を分散させることができる。この結果、第１の実施形態によれば、１つの基地局装置２００の通信速度低下の影響を複数の無線端末装置１００で受けるリスクを、回避することができる。また、第１の実施形態によれば、無線端末装置１００が接続している基地局装置２００の速度低下により強制的にハンドオーバーが実行されることを抑制することができる。さらに、第１の実施形態によれば、例えば同じグループに属する無線端末装置１００間で基地局情報を交換する場合に、当該グループ全体の通信速度を向上させることができる。
【００４４】
図１０は、無線端末装置１００が接続する基地局装置２００を切り替える動作の一例を示すフローチャートである。
無線端末装置１００は、ある基地局装置２００と接続している場合において、他の無線端末装置１００と基地局情報を交換する（ステップＳ２００）。無線端末装置１００は、例えば、他の無線端末装置１００から要求を受信した場合に、当該他の無線端末装置１００との間で基地局情報を交換してよい。基地局情報を交換するとは、一方の無線端末装置１００が、自身が選定した基地局情報（ＩＤ（基地局ＩＤおよび／またはセルＩＤ）、およびＩＤごとの通信品質）を他方の無線端末装置１００に送信するとともに、他方の無線端末装置１００が、自身が選定した基地局情報（ＩＤ、およびＩＤごとの通信品質）を一方の無線端末装置１００に送信し、一方の無線端末装置１００が他方の無線端末装置１００から基地局情報を受信し、他方の無線端末装置１００が一方の無線端末装置１００から基地局情報を受信することである。
【００４５】
無線端末装置１００は、自身が選定した基地局装置２００の通信品質と、他の無線端末装置１００が選定した基地局装置２００の通信品質とを比較する（ステップＳ２０２）。無線端末装置１００は、通信品質の比較結果に基づいて、自身が接続する基地局装置２００を切り替えるか否かを判定する（ステップＳ２０４）。無線端末装置１００は、自身が接続する基地局装置２００を切り替える場合（ステップＳ２０４：ＹＥＳ）、現在接続している基地局装置２００との通信を切断して、新たな基地局装置２００と接続を確立する（ステップＳ２０８）。無線端末装置１００は、自身が接続する基地局装置２００を切り替えない場合（ステップＳ２０４：ＮＯ）、現在接続している基地局装置２００との通信を維持する（ステップＳ２０６）。
【００４６】
無線端末装置１００は、通信が終了したか否かを判定する（ステップＳ２１０）。無線端末装置１００は、例えば、自身の電源がオフに遷移した場合、通信が終了したと判定する。無線端末装置１００は、通信が終了した場合（ステップＳ２１０：ＹＥＳ）、本フローチャートの処理を終了し、通信が終了していない場合（ステップＳ２１０：ＮＯ）、ステップＳ２００に処理に戻す。
【００４７】
図１１は、端末装置が基地局装置を切り替える動作を示す概略図である。
無線端末装置１００Ａがセルサーチを行った結果、基地局装置２００Ａの通信品質Ａが、基地局装置２００Ｂの通信品質Ｂよりも良好であるものの、通信品質Ａと通信品質Ｂとがほぼ同等であるものとする。無線端末装置１００Ｂがセルサーチを行った結果、基地局装置２００Ａの通信品質Ａが、基地局装置２００Ｂの通信品質Ｂよりも良好であるが、基地局装置２００Ｂからの受信信号のレベルが所定の閾値よりも僅かに大きいものとする。なお、無線端末装置１００Ａおよび無線端末装置１００Ｂは、基地局装置２００Ｃを検出できなかったものとする。
【００４８】
無線端末装置１００Ａは、無線端末装置１００Ｂから要求を受信した場合、基地局情報Ｄａを無線端末装置１００Ｂに送信する。また、無線端末装置１００Ａは、無線端末装置１００Ｂから基地局情報Ｄｂを受信する。無線端末装置１００Ａは、自身の通信品質の合計値（Ａ＋Ｂ）が、無線端末装置１００Ｂの通信品質の合計値（Ａ＋Ｂ）よりも大きいため、自身が接続する基地局装置２００を、基地局装置２００Ａから基地局装置２００Ｂに切り替えると判定する。これにより、無線端末装置１００Ａは、基地局装置２００Ａの接続を切断し、基地局装置２００Ｂと接続を確立する。
【００４９】
無線端末装置１００Ｂは、無線端末装置１００Ａに要求を送信した場合、基地局情報Ｄｂを無線端末装置１００Ａに送信する。また、無線端末装置１００Ｂは、無線端末装置１００Ａから基地局情報Ｄａを受信する。無線端末装置１００Ｂは、自身の通信品質の合計値（Ａ＋Ｂ）が、無線端末装置１００Ａの通信品質の合計値（Ａ＋Ｂ）よりも小さいため、自身が基地局装置２００Ａに接続すると判定する。これにより、無線端末装置１００Ｂは、基地局装置２００Ａと接続を確立する。
【００５０】
なお、無線端末装置１００は、自身の通信品質の合計値と他の無線端末装置１００の通信品質の合計値との比較に基づいて基地局装置２００を切り替えたが、これに限定されない。無線端末装置１００は、セルサーチにより複数の基地局装置２００を検出した場合、自身における最良の通信品質と２番目に良い通信品質との差と、他の無線端末装置１００における最良の通信品質と２番目に良い通信品質との差とに基づいて、基地局装置２００を切り替えてもよい。具体的に、無線端末装置１００Ａは、自身における最良の通信品質Ａと２番目に良い通信品質Ｂとの差が、他の無線端末装置１００Ｂにおける最良の通信品質Ａと２番目に良い通信品質Ｂとの差よりも小さいので、接続する基地局装置２００を、基地局装置２００Ａから基地局装置２００Ｂに切り替える。
【００５１】
無線端末装置１００は、セルサーチにより複数の基地局装置２００を検出した場合、自装置が接続する基地局装置２００についての通信品質と、周囲の無線端末装置１００が接続する基地局装置２００についての通信品質との和を最大にするように、自装置が接続する基地局装置２００を切り替えてよい。具体的に、無線端末装置１００Ａは、自身が基地局装置２００Ａに接続している場合に、無線端末装置１００Ｂから基地局情報を受信した場合、自身が基地局装置２００Ｂに接続し、無線端末装置１００Ｂが基地局装置２００Ａに接続した方が、自身および無線端末装置１００Ｂが接続する基地局装置２００についての通信品質の合計値を高くなるので、接続する基地局装置２００を、基地局装置２００Ａから基地局装置２００Ｂに切り替える。
【００５２】
なお、無線端末装置１００Ａが接続する基地局装置２００を切り替えることを判断する主体は、無線端末装置１００Ａであっても、無線端末装置１００Ｂであってもよい。
また、複数の無線端末装置１００をグループ化している場合には、当該グループ内の特定の無線端末装置１００が判断してもよく、複数の無線端末装置１００を管理する管理サーバが判断してもよい。管理サーバが判断する場合、管理サーバは、グループ内の複数の無線端末装置１００とＷｉｆｉ等を用いて接続し、複数の無線端末装置１００の基地局情報を管理（取得および更新）する。
【００５３】
また、複数の端末装置間で基地局情報を交換する場合、無線端末装置１００は、交換相手側の無線端末装置１００の基地局情報（ＩＤおよび通信品質）を、自身が接続する基地局装置２００に報告しなくてよい。これにより、無線端末装置１００は、基地局装置２００により強制的に他の基地局装置２００ハンドオーバーさせられることを無くすことができる。
【００５４】
図１２は、第１の実施形態における第１の変形例の無線端末装置１００＃を示すブロック図である。無線端末装置１００＃は、通信部１１０Ａに、第２通信部１１４がない点で、上述した無線端末装置１００とは異なる。無線端末装置１００＃は、第１通信部１１２により、セルサーチにより選定した基地局装置２００に対し、当該基地局装置２００に接続している無線端末装置１００から基地局情報を取得するように要求する。基地局装置２００は、無線端末装置１００＃から受信した要求に基づいて、自身に接続している無線端末装置１００から基地局情報を取得する。基地局装置２００は、取得した基地局情報を、無線端末装置１００＃に送信する。無線端末装置１００＃は、取得した基地局情報に基づいて、自身が接続する基地局装置２００を選択する。
【００５５】
図１３は、第１の変形例における無線端末装置１００＃により基地局装置２００を選択する処理の一例を示すフローチャートである。
まず、無線端末装置１００＃は、基地局装置２００を介して、他の無線端末装置１００から基地局情報を取得する（ステップＳ３００）。次に無線端末装置１００＃は、自身が接続している基地局装置２００と、他の無線端末装置１００が接続している基地局装置２００とが同じであるか否かを判定する（ステップＳ３０２）。
【００５６】
無線端末装置１００＃は、自身が接続している基地局装置２００と、他の無線端末装置１００が接続している基地局装置２００とが同じではない場合、現在接続している基地局装置２００との接続を維持する（ステップＳ３０４）。無線端末装置１００＃は、自身が接続している基地局装置２００と、他の無線端末装置１００が接続している基地局装置２００とが同じである場合、現在接続している基地局装置２００から、他の基地局装置２００に接続を切り替える（ステップＳ３０６）。
【００５７】
図１４〜図１６は、第２の変形例を説明するための概略図である。なお、基地局装置２００の最大通信容量が２Ｇｂｐｓとした場合の例である。
図１３は、第２の変形例における動作の一例を説明するための概略図である。無線端末装置１００のそれぞれは、自身が属するグループのグループＩＤ（ＧＩＤ）を、セルサーチで選定された基地局装置２００に送信する。無線端末装置１００は、基地局装置２００に接続する場合に、グループＩＤを基地局装置２００に送信する。無線端末装置１００は、電源がオンに遷移した場合にグループＩＤを送信してもよく、端末能力情報を送信する場合に端末能力情報に含めてグループＩＤを送信してもよい。
【００５８】
基地局装置２００は、グループ毎の無線端末装置１００を管理する。基地局装置２００は、同じグループの無線端末装置１００を、別々の基地局装置２００に接続するように、無線端末装置１００に指示をする。
【００５９】
図１５に示すように、無線端末装置１００Ａが基地局装置２００Ｂに接続しているものとする。図１６は、比較例を示す概略図である。図１６に示すように、基地局装置２００Ａが、同じグループＩＤの無線端末装置１００Ｂおよび無線端末装置１００Ｃから通信要求を受け付けたものとする。基地局装置２００Ａは、無線端末装置１００Ｂと無線端末装置１００Ｃに対してそれぞれ均等に無線リソースを分配しているため、無線端末装置１００Ｂおよび無線端末装置１００Ｃはそれぞれ１Ｇｂｐｓの通信速度で通信を行っている。
【００６０】
図１７は、第２の変形例を示す概略図である。第２の変形例によれば、同じグループＩＤの無線端末装置１００は異なる基地局装置２００に接続される。基地局装置２００Ａは、例えば、無線端末装置１００Ｂおよび無線端末装置１００ＣからグループＩＤを取得する。基地局装置２００Ａは、無線端末装置１００Ｃよりも無線端末装置１００Ｂが先に接続を確立した場合、無線端末装置１００Ｃからの接続要求を受け付けても、無線端末装置１００Ｃと接続を確立せず、基地局装置２００Ｂと接続する指示を無線端末装置１００Ｃに送信する。これにより、無線端末装置１００Ｃは、基地局装置２００Ｂと接続を確立する。この結果、無線端末装置１００Ｂと無線端末装置１００Ｃとは異なる基地局装置２００と接続することができる。この場合、無線端末装置１００Ｂは基地局装置２００Ａを独占できるため、基地局装置２００Ａの最大通信容量２Ｇｂｐｓの通信速度で通信を行っている。
【００６１】
第２の変形例によれば、無線端末装置１００を接続する基地局装置２００を分散することができる。これにより、１つの基地局装置２００の通信速度低下の影響を複数の無線端末装置１００で受けるリスクを、回避することができる。
また、第２の変形例によれば、例えば家庭内等で保持している無線端末装置１００をグループ化し、接続する基地局装置２００を分散させることができる。これにより、１つの基地局装置２００に集中して接続する場合よりも、グループ内の無線端末装置１００の全体の通信速度を向上させることができる。
さらに、第２の変形例によれば、複数の無線端末装置１００が接続する基地局装置２００を予め分散させることができる。これにより、基地局装置２００の通信負荷が増加することを抑制でき、通信負荷分散のための制御（ハンドオーバー等）を抑制することができる。この結果、基地局装置２００の制御のための負荷を抑制することができる。
第２の変形例では、無線端末装置１００がグループＩＤを基地局装置２００に報告する場合の例となっているが、第１の実施形態のようにグループＩＤを無線端末装置１００間で取得する例においても、同様の効果を得ることが可能である。
【００６２】
（第２の実施形態）
つぎに、第２の実施形態について説明する。第２の実施形態は、無線端末装置１００が待ち受け状態において基地局装置２００を選択する点で、第１の実施形態とは異なる。以下、この点を中心に説明する。
【００６３】
図１８は、第２の実施形態において基地局装置２００を選択する処理の一例を示すフローである。なお、第１の実施形態と同様の処理は、同一のステップ番号を付することで詳細な説明を省略する。
【００６４】
無線端末装置１００は、自装置の周囲に無線端末装置１００が存在しない場合（ステップＳ１０６：ＹＥＳ）、および他の無線端末装置１００が接続中の基地局装置２００が存在しない場合（ステップＳ１０８：ＮＯ）、ステップＳ１２４の処理を実行する。無線端末装置１００は、ステップＳ１２４において、選定基地局装置のうち通信品質が最良の基地局装置２００で待ち受ける。
【００６５】
無線端末装置１００は、他の無線端末装置１００が接続中の基地局装置２００以外の選定基地局装置が存在する場合（ステップＳ１１０：ＹＥＳ）、ステップＳ１２２に処理を進める。無線端末装置１００は、ステップＳ１２２において、他の無線端末装置１００が接続している基地局装置２００以外の選定基地局装置のうち通信品質が最良の基地局装置２００で待ち受ける。
【００６６】
無線端末装置１００は、他の無線端末装置１００が接続中の基地局装置２００以外の選定基地局装置が存在しない場合（ステップＳ１１０：ＮＯ）、ステップＳ１２０に処理を進める。無線端末装置１００は、ステップＳ１２０において、無線端末装置１００の接続数が最も少ない選定基地局装置のうち通信品質が最良の基地局装置２００で待ち受ける。
【００６７】
なお、ステップＳ１２０、ステップＳ１２２、ステップＳ１２４において、無線端末装置１００は、通信品質を考慮せず、選定基地局装置が複数存在する場合、いずれかの選定基地局装置で待ち受けてよい。
【００６８】
以上のように、第２の実施形態によれば、無線端末装置１００が待ち受ける基地局装置２００を分散させることができるので、無線端末装置１００が接続する基地局装置２００を分散させることができる。
【００６９】
図１９は、第２の実施形態において基地局装置２００を選択する他の処理の一例を示すフローである。
無線端末装置１００は、自装置の周囲の無線端末装置１００から基地局情報として、接続中の基地局装置２００の基地局情報に加えて、待ち受けている基地局装置２００の基地局情報を取得する（ステップＳ１０４Ａ）。周囲の無線端末装置１００は、ある基地局装置２００に接続済みである場合、当該基地局装置２００のＩＤまたはセルＩＤを接続中の基地局情報として送信する。周囲の無線端末装置１００は、ある基地局装置２００に接続していないが、当該基地局装置２００で待ち受けている場合、当該基地局装置２００のＩＤまたはセルＩＤを待ち受け中の基地局情報として送信する。
【００７０】
無線端末装置１００は、周囲の無線端末装置１００が存在する場合（ステップＳ１０６）、周囲の無線端末装置１００が接続または待ち受け中の基地局装置２００以外の選定基地局装置が存在するか否かを判定する（ステップＳ１０８Ａ）。無線端末装置１００は、周囲の無線端末装置１００が接続または待ち受け中の基地局装置２００以外の選定基地局装置が存在する場合（ステップＳ１０８Ａ：ＹＥＳ）、ステップＳ１２２Ａに処理を進める。無線端末装置１００は、ステップＳ１２２Ａにおいて、周囲の無線端末装置１００が接続または待ち受け中の基地局装置２００以外の選定基地局装置のうち通信品質が最良の基地局装置２００で待ち受ける。
【００７１】
無線端末装置１００は、周囲の無線端末装置１００が接続または待ち受け中の基地局装置２００以外の選定基地局装置が存在しない場合（ステップＳ１０８Ａ：ＮＯ）、周囲の無線端末装置１００が待ち受けている基地局装置２００が存在するか否かを判定する（ステップＳ１１０Ａ）。無線端末装置１００は、周囲の無線端末装置１００が待ち受けている基地局装置２００が存在する場合（ステップＳ１１０Ａ：ＹＥＳ）、待受数が最も少ない選定基地局装置のうち通信品質が最良の基地局装置２００で待ち受ける（ステップＳ１２０Ａ）。無線端末装置１００は、周囲の無線端末装置１００が待ち受けている基地局装置２００が存在しない場合（ステップＳ１１０Ａ：ＮＯ）、接続数が最も少ない選定基地局装置のうち通信品質が最良の基地局装置２００で待ち受ける（ステップＳ１２０Ｂ）。
なお、ステップＳ１２０Ａ、ステップＳ１２０Ｂ、ステップＳ１２２Ａ、ステップＳ１２４において、無線端末装置１００は、通信品質を考慮せず、選定基地局装置が複数存在する場合、いずれかの選定基地局装置で待ち受けてよい。
【００７２】
図２０は、第２の実施形態における無線端末装置１００の動作の一例を説明するための図である。
無線端末装置１００Ｂが基地局装置２００Ａに接続し、無線端末装置１００Ａが基地局装置２００Ｂに接続しているものとする。無線端末装置１００Ｃは、セルサーチにより、基地局装置２００Ｂおよび基地局装置２００Ｃを選定する。無線端末装置１００Ｃは、無線端末装置１００Ａから取得した基地局情報Ｄａに基づいて、無線端末装置１００Ａが基地局装置２００Ｂに接続していることを認識する。これにより、無線端末装置１００Ｃは、通信品質が基地局装置２００Ｃより高い基地局装置２００Ｂではなく、周囲の無線端末装置１００Ａが接続していない基地局装置２００Ｃで待ち受けることができる。このような動作は、上述したステップＳ１２２Ａを実行することにより実現することができる。
【００７３】
以上のように、無線端末装置１００は、周囲の無線端末装置１００が接続または待ち受けていない選定基地局装置で待ち受けることができる。これにより、無線端末装置１００は、他の無線端末装置１００が接続または待ち受けする基地局装置２００とは異なる基地局装置２００で待ち受けをすることができる。このため、通信要求が発生した場合に待ち受けしている基地局装置２００、すなわち1つの基地局装置２００に集中して接続してしまうことにより、通信速度低下の影響を全無線通信端末１００で受けるリスクを避ける基地局装置２００に即座に接続することが可能となる。
【００７４】
また、無線端末装置１００は、周囲の無線端末装置１００が接続または待ち受けている基地局装置２００以外の選定基地局装置がない場合、周囲の無線端末装置１００が接続している基地局装置２００よりも、周囲の無線端末装置１００が待ち受けている選定基地局装置を優先して待ち受けることができる。これにより、無線端末装置１００は、通信接続要求が発生した場合に、他の無線端末装置１００は待ち受けているだけで、接続はしていないので、当該基地局装置２００と独占して通信を行うことができる。
【００７５】
なお、無線端末装置１００は、周囲の無線端末装置１００の状況や、基地局装置２００の状況が変化するため、図１８および図１９の処理を定期的に実行することが望ましい。これにより、無線端末装置１００は、最適な基地局装置２００で待ち受けをすることができる。
【００７６】
（第３の実施形態）
つぎに、第３の実施形態について説明する。第３の実施形態は、無線端末装置１００が優先して接続するタイプの基地局装置２００に接続する点で、上述した実施形態とは異なる。以下、この点を中心に説明する。
【００７７】
図２１は、第３の実施形態における無線通信システムの一例を示す概略図である。
第３の実施形態において、基地局装置２００のそれぞれは、特定のタイプの基地局装置である。例えば、タイプａの基地局装置２００は大容量の通信性能を持ち、タイプｂの基地局装置２００は大容量ではないが超低遅延通信性能を持つ。
あるいは、タイプａの基地局装置２００は超高速ダウンロードが可能であり、タイプｂの基地局装置２００は超高速アップロードが可能である。すなわち、基地局装置２００と無線端末装置１００がＴＤＤ（Ｔｉｍｅ  Ｄｉｖｉｓｉｏｎ  Ｄｕｐｌｅｘ）方式で通信を行う場合、タイプａは下り信号の信号比が上り信号の信号比よりも大きい設定（下り重視設定）であり、タイプｂは上り信号の信号比が下り信号の信号比よりも大きい設定（上り重視設定）である。
【００７８】
無線端末装置１００Ａには、従属端末１５０ａおよび１５０ｂが接続される。無線端末装置１００Ｂには、従属端末１５０ｃおよび１５０ｄが接続される。なお、以下の説明において、従属端末を総称する場合には単に「従属端末１５０」と記載する。従属端末１５０は、例えば、パーソナルコンピュータ、テレビその他の家電製品、ＩｏＴ機器、スマートフォンである。従属端末１５０は、無線端末装置１００と接続することで、基地局装置２００と通信を行う。
【００７９】
無線端末装置１００は、第２通信部１１４を用いて、従属端末１５０と通信を行う。無線端末装置１００は、従属端末１５０からの通信要求を受け付けた場合に、基地局装置２００と接続する。無線端末装置１００は、従属端末１５０の動作に必要な情報やデータを基地局装置２００との間、および従属端末１５０との間で送受信する。
【００８０】
無線端末装置１００は、基地局装置２００のタイプに優先順位を付加する。無線端末装置１００は、例えば、従属端末１５０による要求に基づいてタイプの優先順位を変更してよい。例えば、従属端末１５０が低遅延通信を行うことが望ましいアプリケーションを動作させている場合、大容量の通信性能を実現するタイプの優先順位よりも、大容量ではないが超低遅延通信性能を実現するタイプの優先順位を高くする。また、従属端末１５０が超高速ダウンロードを行うことが望ましいアプリケーションを動作させている場合、超高速アップロードを実現するタイプの優先順位よりも、超高速ダウンロードを実現するタイプの優先順位を高くする。
【００８１】
図２２は、第３の実施形態における無線端末装置１００の動作の一例を示すフローチャートである。
無線端末装置１００は、自装置の周囲に無線端末装置１００が存在しない場合（ステップＳ１０６：ＹＥＳ）、および他の無線端末装置１００が接続中の基地局装置２００が存在しない場合（ステップＳ１０８：ＮＯ）、ステップＳ３１０の処理を実行する。無線端末装置１００は、ステップＳ３１０において、選定基地局装置のうち優先順位が最も高いタイプの基地局装置２００に接続する。
【００８２】
無線端末装置１００は、周囲の無線端末装置１００が接続している基地局装置２００が存在する場合に、選定基地局装置のうち、周囲が接続している基地局装置２００以外のタイプの基地局装置２００が存在するか否かを判定する（ステップＳ４００）。
【００８３】
無線端末装置１００は、選定基地局装置のうち、周囲が接続している基地局装置２００以外のタイプの基地局装置２００が存在する場合（ステップＳ４００：ＹＥＳ）、ステップＳ４０４に処理を進める。無線端末装置１００は、ステップＳ４０４において、周囲が接続している基地局装置２００以外のタイプの選定基地局装置のうち優先順位が最も高いタイプの基地局装置２００に接続する。
【００８４】
無線端末装置１００は、選定基地局装置のうち、周囲が接続している基地局装置２００以外のタイプの基地局装置２００が存在しない場合（ステップＳ４００：ＮＯ）、ステップＳ４０２に処理を進める。無線端末装置１００は、ステップＳ４０２において、周囲が接続している基地局装置２００以外の選定基地局装置が存在するか否かを判定する。
【００８５】
無線端末装置１００は、周囲が接続している基地局装置２００以外の選定基地局装置が存在する場合（ステップＳ４０２：ＹＥＳ）、ステップＳ４０６に処理を進める。無線端末装置１００は、ステップＳ４０６において、周囲が接続している基地局装置２００以外の選定基地局装置のうち、最良の通信品質の基地局装置２００に接続する。
【００８６】
無線端末装置１００は、周囲が接続している基地局装置２００以外の選定基地局装置が存在しない場合（ステップＳ４０２：ＮＯ）、ステップＳ４０８に処理を進める。無線端末装置１００は、ステップＳ４０８において、最も接続数の少ない選定基地局装置のうち最良の通信品質の基地局装置２００に接続する。
【００８７】
なお、ステップＳ４０８、ステップＳ４０６において、無線端末装置１００は、通信品質を考慮せず、選定基地局装置が複数存在する場合、いずれかの選定基地局装置に接続してもよい。
【００８８】
以上説明した第３の実施形態によれば、複数の無線端末装置１００を異なるタイプの基地局装置２００にそれぞれ接続することで、無線端末装置１００に接続する従属端末１５０の通信用途に応じて接続する無線端末装置１００を選択させることが可能となる。
【００８９】
従属端末１５０が複数の無線端末装置１００に接続可能である場合、従属端末１５０は、無線端末装置１００から、現在接続している基地局装置２００のタイプ情報を取得し、所望のタイプの基地局装置２００に接続している無線端末装置１００に接続してよい。例えば、無線端末装置１００Ａが下り重視設定のタイプの基地局装置２００に接続し、無線端末装置１００Ｂが上り重視設定のタイプｂの基地局装置２００に接続している場合、従属端末１５０が高速アップロードを行いたい場合には、従属端末１５０は、無線端末装置１００Ｂに接続する。
【００９０】
予め無線端末装置１００Ａをタイプａの基地局装置２００に優先的に接続するよう設定し、無線端末装置１００Ｂをタイプｂの基地局装置２００に優先的に接続するよう設定しておいてもよい。すなわち、無線端末装置１００Ａは、タイプｂよりもタイプａの優先順位を高くしたタイプのリストを保持し、無線端末装置１００Ｂは、タイプａよりもタイプｂの優先順位を高くしたタイプのリストを保持する。
【００９１】
また、第３の実施形態によれば、上述した第２の実施形態を組み合わせてもよい。例えば、無線端末装置１００は、選定基地局装置のうち他に接続していない基地局装置２００であって優先順位が高いタイプの基地局装置２００に最優先に接続し、優先順位が高いタイプの基地局装置２００が選定基地局装置に含まれない場合、他に接続していない基地局装置２００に接続し、選定基地局装置のうち他に接続していない基地局装置２００がない場合、他に待ち受けていない基地局装置２００に接続する。
【００９２】
なお、本発明の一態様における無線端末装置１００、従属端末１５０、および基地局装置２００において動作するプログラムは、本発明の一態様に関わる上記の各実施形態や変形例で示した機能を実現するように、１つ、または複数の、ＣＰＵ（Ｃｅｎｔｒａｌ  Ｐｒｏｃｅｓｓｉｎｇ  Ｕｎｉｔ）等のプロセッサを制御するプログラム（コンピュータを機能させるプログラム）であっても良い。そして、これらの各装置で取り扱われる情報は、その処理時に一時的にＲＡＭ（Ｒａｎｄｏｍ  Ａｃｃｅｓｓ  Ｍｅｍｏｒｙ）に蓄積され、その後、フラッシュメモリやＨＤＤ（Ｈａｒｄ  Ｄｉｓｋ  Ｄｒｉｖe）等の各種ストレージに格納され、必要に応じてＣＰＵによって読み出し、修正・書き込みが行われても良い。
【００９３】
なお、上述した各実施形態や変形例における無線端末装置１００、従属端末１５０、および基地局装置２００それぞれの一部又は全部を１つ、または複数のプロセッサを備えたコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【００９４】
なお、ここでいう「コンピュータシステム」とは、無線端末装置１００、従属端末１５０、および基地局装置２００に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００９５】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００９６】
また、上述した各実施形態や変形例における無線端末装置１００、従属端末１５０、および基地局装置２００のそれぞれの一部、又は全部を典型的には集積回路であるＬＳＩとして実現してもよいし、チップセットとして実現してもよい。また、上述した各実施形態や変形例における無線端末装置１００、従属端末１５０、および基地局装置２００の各機能ブロックは個別にチップ化してもよいし、一部、又は全部を集積してチップ化してもよい。また、集積回路化の手法は、ＬＳＩに限らず専用回路、および／または汎用プロセッサで実現しても良い。また、半導体技術の進歩によりＬＳＩに代替する集積回路化の技術が出現した場合、当該技術による集積回路を用いることも可能である。
【００９７】
以上、この発明の一態様として各実施形態や変形例に関して図面を参照して詳述してきたが、具体的な構成は各実施形態や変形例に限られるものではなく、この発明の要旨を逸脱しない範囲の設計変更等も含まれる。また、本発明の一態様は、請求項に示した範囲で種々の変更が可能であり、異なる実施形態にそれぞれ開示された技術的手段を適宜組み合わせて得られる実施形態についても本発明の技術的範囲に含まれる。また、上記各実施形態や変形例に記載された要素であり、同様の効果を奏する要素同士を置換した構成も含まれる。
【００９８】
例えば、上記各実施形態や各変形例の一部または全部を組み合わせることで本発明の一態様を実現してもよい。
【符号の説明】
【００９９】
１…無線通信システム、１００、１００Ａ、１００Ｂ、１００Ｃ、１００Ｄ、１００Ｅ…無線端末装置１００ａ…検出可能範囲、１１０、１１０Ａ…通信部、１１２…第１通信部、１１２ａ…測定部、１１４…第２通信部、１２０…制御部、１２２…基地局選択部、１２４…基地局情報取得部、１３０…記憶部、１５０、１５０ａ、１５０ｂ、１５０ｃ、１５０ｄ…従属端末、２００、２００Ａ、２００Ｂ、２００Ｃ…基地局装置
【図１】
2020043514.tif 000003
【図２】
2020043514.tif 000004
【図３】
2020043514.tif 000005
【図４】
2020043514.tif 000006
【図５】
2020043514.tif 000007
【図６】
2020043514.tif 000008
【図７】
2020043514.tif 000009
【図８】
2020043514.tif 000010
【図９】
2020043514.tif 000011
【図１０】
2020043514.tif 000012
【図１１】
2020043514.tif 000013
【図１２】
2020043514.tif 000014
【図１３】
2020043514.tif 000015
【図１４】
2020043514.tif 000016
【図１５】
2020043514.tif 000017
【図１６】
2020043514.tif 000018
【図１７】
2020043514.tif 000019
【図１８】
2020043514.tif 000020
【図１９】
2020043514.tif 000021
【図２０】
2020043514.tif 000022
【図２１】
2020043514.tif 000023
【図２２】
2020043514.tif 000024